【事件の表示】
　特許第６１３５３８１号発明「転炉ダストの回収設備」の特許異議申立事件について、次のとおり決定する。
【結　論】
　特許第６１３５３８１号の請求項１〜７に係る特許を維持する。
【理　由】
１　手続きの経緯
　特許第６１３５３８１号の請求項１〜７に係る特許についての出願は、平成２５年　８月　６日に特許出願され、平成２９年　５月１２日にその特許権の設定登録がされ、平成２９年　５月３１日に特許掲載公報が発行され、その後、その特許に対し、平成２９年１１月３０日に、特許異議申立人藤井正弘（以下、「申立人」という。）により特許異議の申立てがされたものである。
２　本件発明
　特許第６１３５３８１号の請求項１〜７の特許に係る発明（以下、それぞれ、「本件発明１」〜「本件発明７」ともいう。）は、それぞれ、その特許請求の範囲の請求項１〜７に記載された事項により特定される次のとおりのものである。
「【請求項１】
　転炉から排出された排気ガスに含まれる転炉ダストを集塵する電気集塵機と、
前記電気集塵機から排出された前記転炉ダストを回収する回収装置と、を備え、
前記電気集塵機は、前記排気ガスの流動方向に複数区に区分けされており、各区で集塵された前記転炉ダストを個別に排出するよう構成されており、
前記回収装置は、複数の回収部を備え、前記区ごとに排出された前記転炉ダストを該複数の回収部のいずれかに選択的に装入するよう構成されており、
前記電気集塵機は、
前記区ごとに設けられた複数のホッパと、
前記ホッパの底部に設けられ、集塵された前記転炉ダストを排出する排出口と、を備える
ことを特徴とする転炉ダストの回収設備。
【請求項２】
　転炉から排出された排気ガスに含まれる転炉ダストを集塵する電気集塵機と、
前記電気集塵機から排出された前記転炉ダストを回収する回収装置と、を備え、
前記電気集塵機は、前記排気ガスの流動方向に複数区に区分けされており、各区で集塵された前記転炉ダストを個別に排出するよう構成されており、
前記回収装置は、複数の回収部を備え、前記区ごとに排出された前記転炉ダストを該複数の回収部のいずれかに選択的に装入するよう構成されており、
前記電気集塵機は、
集塵された前記転炉ダストを前記排気ガスの流動方向に沿って搬送する機内搬送手段と、
前記機内搬送手段の前記区ごとの搬送方向終端位置に設けられ、該機内搬送手段から前記転炉ダストを排出する複数の排出口と、を備え、
前記回収装置は、
前記排出口ごとに設けられた複数の切替搬送手段を備え、
前記切替搬送手段は、中間部が前記排出口に接続され、両端が前記複数の回収部のうちの２つに接続され、正逆方向に搬送可能である
ことを特徴とする転炉ダストの回収設備。
【請求項３】
　転炉から排出された排気ガスに含まれる転炉ダストを集塵する電気集塵機と、
前記電気集塵機から排出された前記転炉ダストを回収する回収装置と、を備え、
前記電気集塵機は、前記排気ガスの流動方向に複数区に区分けされており、各区で集塵された前記転炉ダストを個別に排出するよう構成されており、
前記回収装置は、複数の回収部を備え、前記区ごとに排出された前記転炉ダストを該複数の回収部のいずれかに選択的に装入するよう構成されており、
前記電気集塵機は、
集塵された前記転炉ダストを前記排気ガスの流動方向に沿って搬送する機内搬送手段と、
前記機内搬送手段の前記区ごとの搬送方向終端位置に設けられ、該機内搬送手段から前記転炉ダストを排出する複数の排出口と、を備え、
前記回収装置は、
前記排出口ごとに設けられた複数の二股シュートを備え、
前記二股シュートは、前記排出口と前記複数の回収部のうちの２つとを接続し、前記転炉ダストの排出先を切り替える切替ダンパを備える
ことを特徴とする転炉ダストの回収設備。
【請求項４】
　転炉から排出された排気ガスに含まれる転炉ダストを集塵する電気集塵機と、
前記電気集塵機から排出された前記転炉ダストを回収する回収装置と、を備え、
前記電気集塵機は、前記排気ガスの流動方向に複数区に区分けされており、各区で集塵された前記転炉ダストを個別に排出するよう構成されており、
前記回収装置は、複数の回収部を備え、前記区ごとに排出された前記転炉ダストを該複数の回収部のいずれかに選択的に装入するよう構成されており、
前記電気集塵機は、
前記区ごとに設けられた複数のホッパと、
前記ホッパの底部に設けられ、集塵された前記転炉ダストを前記排気ガスの流動方向に沿って搬送する機内搬送手段と、
前記機内搬送手段の終端に設けられた排出口と、を備える
ことを特徴とする転炉ダストの回収設備。
【請求項５】
　前記回収装置は、
前記排出口ごとに設けられた複数の切替搬送手段を備え、
前記切替搬送手段は、中間部が前記排出口に接続され、両端が前記複数の回収部のうちの２つに接続され、正逆方向に搬送可能である
ことを特徴とする請求項１または４記載の転炉ダストの回収設備。
【請求項６】
　前記回収装置は、
前記排出口ごとに設けられた複数の二股シュートを備え、
前記二股シュートは、前記排出口と前記複数の回収部のうちの２つとを接続し、前記転炉ダストの排出先を切り替える切替ダンパを備える
ことを特徴とする請求項１または４記載の転炉ダストの回収設備。
【請求項７】
　前記機内搬送手段は、正逆方向に搬送可能であり、両端に排出口が設けられており、
前記排出口は、前記複数の回収部のいずれかと接続されている
ことを特徴とする請求項４記載の転炉ダストの回収設備。」
３　申立理由の概要
　申立人は、証拠として甲第１号証〜甲第７号証を提出し、以下の理由により、請求項１〜７に係る特許を取り消すべきものである旨主張している。
（１）申立理由１
　請求項１、４に係る発明は、甲第１号証に記載された発明であるから、請求項１、４に係る特許は、特許法第２９条第１項第３号の規定に違反してなされたものである。
（２）申立理由２
　請求項１〜７に係る発明は、甲第１号証〜甲第７号証に記載された発明に基づいて、当業者が容易に発明をすることができたものであり、請求項１〜７に係る特許は、特許法第２９条第２項の規定に違反してなされたものである。
［証拠方法］
甲第１号証：特開２０００−１８９８４７号公報
甲第２号証：特開２００２−２５３９８８号公報
甲第３号証：特開平８−１８７４５０号公報
甲第４号証：特開平９−１０３７０６号公報
甲第５号証：特開平１１−１０４４５６号公報
甲第６号証：李昇憲ら、「電気集じん機により段別採取したフライアッシュの鉱物組成の変化」、Journal of the Ceramic Society of Japan,111[1]２００３年、ｐｐ．１１−１５、写し及び抄訳文
甲第７号証：「電気集塵装置」、松本俊次著、日刊工業新聞社、昭和５０年１１月２０日初版、第４章　電気集塵装置の構造と構成要素、ｐｐ．４３−４５、表紙及び奥付、写し
　以下、それぞれ、「甲１」〜「甲７」という。
４　各証拠の記載事項について
（１）
ア　甲１には、以下の記載がある。（なお、下線は当審が付与した。以下同様。）
（ア）「【請求項１】  
電気集塵機の集塵部を含塵ガスの流動方向に沿って複数ゾーンに区画し、このゾーン毎に捕捉・収容された集塵ダストを、ガス流方向に従った複数系統に区分して排出する
（イ）「【０００１】
【発明の属する技術分野】本発明は、
銅
転炉と呼ばれる回転炉から排出される含塵ガスに含まれているダストを電気集塵機で集塵して排出する非鉄金属製錬における集塵ダストの排出方法
（ウ）「【０００３】一方、転炉から発生する排ガス（含塵ガス）に含まれているダストは、通常コットレルと呼ばれる電気集塵機によって集められ、系外に排出される。図２は煙道のコットレル付近を水平方向に切った断面図、図３は同じく側面図である。各コットレルは、含塵ガスの通過する高さに電気集塵機を有する集塵部１が設けられ、その下部には捕捉した集塵ダストを集めるホッパ２がある。さらにホッパ２の底部に配置されたスクリューコンベヤ３により、ホッパ内の集塵ダストをスクリューコンベヤ３の終端付近の取り出し口４から取り出し、取り出された集塵ダストははロータリーバルブ５を経てチェーンコンベヤ６によりダスト処理設備等へ搬出される。
【０００４】コットレルは通常その集塵能力によって煙道を平行する複数の流路に分割してそれぞれの流路に設置され、さらにそれぞれの集塵部１およびホッパ２は含塵ガスの流動方向に沿って複数のゾーン、例えば３室に別れている。以下これを上流側から第１室、第２室、第３室と呼び、区別する場合、例えばホッパについては第１室のものを2a、第２室のものを2b、第３室のものを2cとする。ホッパ２の底部に設けられているスクリューコンベヤ３については取り出し口４はそれぞれ１か所であるから、３室の集塵ダストは混合され、同じ排出系統に集められて処理を受けることになる。
【０００５】
【発明が解決しようとする課題】ところで本発明者らは、転炉の電気集塵機の各室毎に集塵ダストを採集してその成分を調査したところ、銅、金、銀などの有価金属と、鉛、亜鉛、砒素、アンチモン、ビスマス等の不純物とではその分布に相違があり、ガス流にして上流側である第１室の集塵ダストがもっとも有価金属を多く含み、不純物が少ないのに対し、有害な不純物である鉛、亜鉛、砒素、アンチモン、ビスマス等は下流側である第３室にもっとも多く含まれるという知見が得られた。
【０００６】しかしこれまで各室の集塵ダストは混合されて全量が亜鉛製錬所等のダスト処理設備に送られていたため送鉱量が多く、輸送コストおよび処理コストが大きいという問題点を有していた。
本発明は、従来混合されてしまっていた有害成分の少ない第１室の集塵ダストを別系統にして取り出し、製錬炉に回収することによりダスト処理のための送鉱量を減少させるとともに有価金属を有効に回収することのできる電気集塵機における集塵ダストの排出方法およびその設備を実現することを目的とする。
（エ）「【００１２】
図１は本発明の電気集塵機における集塵ダストの排出設備の要部を示す部分正面図で、スクリューコンベヤ３の搬送方向を矢印で示している。スクリューコンベヤ３の終端部にある取り出し口４、ロータリーバルブ５およびチェーンコンベヤ６は図２、図３に示した従来のものと同様であるが、スクリューコンベヤ３の上流寄り中間部、すなわち第３室のホッパ2cの出口付近に設けた取り出し口4aと、これに接続するロータリーバルブ5a、チェーンコンベヤ6aは本発明により新規につけ加えたものである。
【００１３】この結果、
有価金属の品位が低く、有害不純物の多い第３室の集塵ダストはほぼ全量がこの新たな取り出し口4aから排出され、ロータリーバルブ5aを経てチェーンコンベヤ6aの系統でダスト処理系統に搬出される
【００１４】一方、
第２室、第１室の集塵ダストはスクリューコンベヤ３の終端部にある取り出し口４、ロータリーバルブ５およびチェーンコンベヤ６の別系統で系外に排出される。
【００１５】なお、
ロータリーバルブ5aを停止させれば、従来と同様に集塵ダストの全量を一括して処理することもできる。さらに新たな取り出し口をホッパ第２室2bの出口付近にも設けることにより、第２室の集塵ダストを第１室のものと別個に取り出すことも可能である。
（オ）
「
」
イ　以上の甲１の記載を総合すると、甲１には、以下の発明が記載されていると認められる。
「転炉から排出される含塵ガスに含まれているダストを、電気集塵機で集塵し、前記電気集塵機の集塵部を含塵ガスの流動方向に沿って複数ゾーンに区画し、このゾーン毎に捕捉・収容されたダストを、ガス流方向に従った複数系統に区分して回収する、ダストの回収方法及び装置であって、
電気集塵機は、含塵ガスの流動方向に沿ってダストを搬送するスクリューコンベアと、当該スクリューコンベアの中間部および終端部に複数の取り出し口とを備える、
ダストの回収方法及び装置。」
（２）
ア　甲２には、以下の記載がある。
（ア）「【請求項１】  流入するガスの流れ方向に延びると共に互いに対面するように配置された集塵極と、この集塵極間に配置された放電極と、を具備し、前記集塵極及び前記放電極より成る電極組が、前記ガスの流れ方向に沿って複数組並設されると共に、前記集塵極を槌打する槌打装置が前記電極組に対して各々設置されて成る
電気集塵装置
ガス流方向最後部の電極組の放電極下端より上方に位置している放電極を有する電極組が、前記ガス流方向最後部の電極組よりもガス流方向上流側に設けられていることを特徴とする電気集塵装置。」
（イ）「【００３１】このため、１組目の電極組Ｓ１に進入したダストは、帯電されて自然沈降しながら大部分が集塵極１１で捕集され、一方、電極組Ｓ１の下方に進入し帯電されないダスト及び電極組Ｓ１で帯電されたが集塵極１１で捕集されなかったダストは、当該ダストの自然沈降により、ホッパ２５で回収される。また、２組目の電極組Ｓ２でも同様に、電極組Ｓ２の下方に進入し帯電されないダスト及び電極組Ｓ１や電極組Ｓ２で帯電されたが集塵極１１，１２で捕集されなかったダストは、当該ダストの自然沈降により、ホッパ２６で回収される。
【００３２】すなわち、ガス流方向最後部の電極組（３組目の電極組）Ｓ３以外の１組目、２組目の電極組Ｓ１，Ｓ２では、無駄な帯電領域をカットすることで、
帯電しなければ自然沈降していくダストが、その自然沈降にまかせてホッパ２５，２６で回収される
（ウ）
「
」
（３）　
ア　甲３には、以下の記載がある。
（ア）「【０００１】
【産業上の利用分野】本発明は、
電気集塵装置
（イ）「【実施例】図１を参照して本発明の実施例による電気集塵装置全体の概略について説明する。
【００２４】図１（Ａ）は電気集塵装置の平面断面図、図１（Ｂ）は側面断面図を示す。集塵容器１６の入口ダクト９から排ガスが導入されて集塵され、出口ダクト１０から排出される。集塵容器内の入口ダクト側には整流板７が設けられている。入口ダクト９から導入された排ガスは整流板７によって整流され、集塵容器１６内にほぼ一様に流れる。
【００２５】８枚の集塵極１が所定の間隔で平行平板状に重ねられ、集塵極群が構成されている。このように構成された集塵極群が、集塵容器１６内の上流、中流、下流部に、各集塵極１の表面がガス流の方向に平行な向きになるように配置されている。
上流、中流、下流部をそれぞれ第１、第２、第３セクションと呼ぶ。
【００２６】各集塵空間の中央部に、ガス流の向きにほぼ直交するように棒状の放電極２が配置されている。各放電極２の間隔は、集塵極１の間隔と同等かあるいは若干狭い程度が好ましい。
【００２７】放電極２は、各セクション毎に導線で接続されており、この導線は、放電極２と集塵容器１６との絶縁を保つため、碍子室５の中に配置された碍子６を介して集塵容器１６の外に引き出されている。各セクションから引き出された導線は、それぞれセクション毎に準備された直流電源４に接続されている。
【００２８】
集塵極１の下方には、ダストを回収するためのホッパ８が設けられている。
（ウ）
「
」
（４）　
ア　甲４には、以下の記載がある。
（ア）「【０００１】
【発明の属する技術分野】本発明は、
電気集塵装置
（イ）「【０００７】かくして、入口フード２の入口に設置された案内羽根６によりフード２内に導入された排ガスは、フード２内に前後に設置された整流板３´、３により整流されるとともに、これら整流板の近傍に設置されている放電極１１、１１´と整流板の間でコロナ放電現象が起こり、整流板３、３´が集塵極となり排ガス中のダストを予備的に電気集塵し、次いで電気集塵部４、４´で排ガス中のダストを集塵極に付着させて図示しない公知の槌打装置で集塵極１０、１０・・を槌打して
ダストをホッパ１５、１５´内へ払落とし
（ウ）
「
」
（５）
ア　甲５には、以下の記載がある。
（ア）「【０００７】
【発明の実施の形態】本発明の実施の形態を図面を参照して説明する。図４に示す排ガス処理装置は、ボイラ出口に脱塩用の石灰噴霧塔が設けられ、排ガスはこの噴霧塔で所定の塩濃度迄下げられ、噴霧された石灰は電気集じん器又はバグフイルタによりアッシュ（灰）と共に捕集される。」
（イ）
「
」
（６）
ア　甲６には、以下の記載がある。
（ア）
「
」
（イ）
「
」
（７）　
ア　甲７には、以下の記載がある。
（ア）
「
」
（８）　
　以上の甲２〜甲７の記載を総合すると、甲２〜甲７には、以下の事項が記載されていると認められる。
「電気集塵機において、排気ガスの流動方向に複数区に区分けされた区ごとに複数のホッパを備え、各区で集塵されたダストを個別に排出する電気集塵機」
５　判断
（１）本件発明１〜本件発明７は、いずれも、「回収装置は、複数の回収部を備え、前記区ごとに排出された前記転炉ダストを該複数の回収部のいずれかに
選択的に装入する
　
（２）当該構成における「選択的に装入」について、本件特許明細書全体、特に【００２７】〜【００３６】、【００４２】、【００４５】〜【００４８】、【００５１】〜【００５２】を参酌すると、「複数の回収部」に対して、「区ごとに排出された」「転炉ダスト」が、「区ごと」と「回収部」とが１対１に対応する関係ではなく、「区ごとに排出された」「転炉ダスト」が、「複数の回収部」のうちの、いずれかの「回収部」に「選択的に」「装入」されることを意味している、つまり、１つの「区」から「排出された」「転炉ダスト」は、例えば「回収部」が２つの場合には、２つの「回収部」のいずれにも、「選択的に」「装入」され得る構成であると解するのが相当である。
（３）本件発明１〜本件発明７と、甲１〜甲７に記載された発明とを対比すると、甲１〜甲７のいずれにも、上記（１）、（２）の「回収装置は、複数の回収部を備え、前記区ごとに排出された前記転炉ダストを該複数の回収部のいずれかに
選択的に装入する
　また、この点が技術常識であるというに足る証拠もない。
　したがって、本件発明１〜本件発明７は、甲１〜甲７に記載された技術的事項から、当業者が容易になし得るものではない。
（４）申立人は、甲２〜甲７に多数記載されるように、排気ガスの流動方向に複数区に区分けされたその区の下毎にホッパを設け、区ごとに排出された転炉ダストを、それらホッパの底部からそれぞれ排出させる構成は、本件出願前から多数文献が存在するように、当業者間の周知慣用技術である旨主張している（特許異議申立書第１７頁第１行〜第２８行）。
　しかしながら、本件発明１〜本件発明７の「選択的に装入」は、上記（２）のとおり解するのが相当であり、上記（３）のとおり、甲１〜甲７には、当該構成について記載も示唆もされておらず、これを技術常識というに足る証拠もないから、上記申立人の主張は採用できない。
６　むすび
　したがって、特許異議の申立ての理由及び証拠によっては、本件発明１〜本件発明７に係る特許を取り消すことはできない。
　また、他に本件発明１〜本件発明７に係る特許を取り消すべき理由を発見しない。
　よって、結論のとおり決定する。
【異議決定日】
平成３０年２月２２日（２０１８．２．２２）